(57)【特許請求の範囲】
【請求項１】
キッチンに面する壁に窓が設けられ、この窓の手前が収納所とされ、この収納所を開閉する戸が前記窓と平行に設けられた収納所構造において、
前記戸には、前記窓からキッチン側に採光可能な透光性を有する透光性部材が設けられるとともに、前記戸の厚さ方向に貫通して空気を流通可能とする空気流通部が設けられており、
前記戸は床から天井までの高さを有しており、前記窓はその上辺部が壁と天井との交差部に位置し、下辺部が壁の上下方向中央部より上方に位置していることを特徴とする収納所構造。
【請求項２】
キッチンに面する壁に窓が設けられ、この窓の手前が収納所とされ、この収納所を開閉する戸が前記窓と平行に設けられた収納所構造において、
前記戸には、前記窓からキッチン側に採光可能な透光性を有する透光性部材が設けられるとともに、前記戸の厚さ方向に貫通して空気を流通可能とする空気流通部が設けられており、
前記収納所は前記窓が設けられた壁と直交する仕切壁によって第１収納所と第２収納所とに左右に分割されており、
前記第２収納所には、水回り系の設備が設けられていることを特徴とする収納所構造。
【請求項３】
請求項２に記載の収納所構造において、
前記戸は、平行に設けられた複数のレールに沿って移動する複数の引戸によって構成されており、
これら引戸を前記第２収納所側に引き寄せた際に、前記第２収納所が閉ざされるととともに、前記第１収納所が全開することを特徴とする収納所構造。
【請求項４】
請求項３に記載の収納所構造において、
前記複数の引戸には、それぞれ前記空気流通部が設けられており、これら空気流通部は前記引戸を前記第２収納所側に引き寄せて重ねた際に、重ね方向に連続していることを特徴とする収納所構造。
【請求項５】
キッチンに面する壁に窓が設けられており、
前記キッチン内に前記壁から離間して調理台が設けられており、
前記窓の手前であって、かつ前記調理台と対向離間して収納所が設けられ、この収納所を開閉する戸が前記窓と平行に設けられており、
前記戸には、前記窓からキッチン側に採光可能な透光性を有する透光性部材が設けられるとともに、前記戸の厚さ方向に貫通して空気を流通可能とする空気流通部が設けられていることを特徴とする収納所構造。
【請求項６】
請求項１〜５のいずれか一項に記載の収納所構造において、
前記透光性部材は前記戸のほぼ全面に設けられており、前記空気流通部は前記戸の上下端部にそれぞれ設けられていることを特徴とする収納所構造。
【発明の詳細な説明】
【技術分野】
【０００１】
本発明は、キッチンに面する壁に窓が設けられ、この窓の手前が収納所とされ、この収納所を開閉する戸が前記窓と平行に設けられた収納所構造に関する。
【背景技術】
【０００２】
例えば流し台の前面がリビング・ダイニングに開放されたオープンキッチンでは、流し台の上方が開放された空間となっていることがあるので、キッチンに面する壁に沿って調理器具等を収納する収納家具等を設置したり、前記壁に沿って収納所を設けたりする場合がある（例えば、特許文献１参照）。
【特許文献１】特開平５−１４６３３５号公報
【発明の開示】
【発明が解決しようとする課題】
【０００３】
前記のような収納家具や収納所は、オープンキッチンであるために、リビング・ダイニング等から見える。したがって、キッチン使用中などで収納家具上や収納所内に調理器具や皿などが煩雑に置かれ整理整頓されていない場合に、不意に来客があると、このような煩雑な状態が来客の目に晒されるので、これらを隠したいという要望がある。
そこで、例えば特開２００２−３２２８０５公報に記載のように、壁面収納をキッチンに設け、この壁面収納を開閉する戸を閉じることによって、不意の来客があった場合などに煩雑な状態を隠すことができる。
しかし、キッチンに面する壁に窓等があった場合、壁面収納によって窓を塞いでしまうので、キッチンへの採光や通気を十分にとることができないという問題がある。
【０００４】
本発明は上記事情に鑑みてなされたもので、キッチンに設けられた収納所を戸によって隠すことができるとともに、戸を閉じた状態でもキッチンに十分な採光や通気を得ることができる収納所構造を提供することを課題としている。
【課題を解決するための手段】
【０００５】
上記課題を解決するために、請求項１に記載の発明は、例えば図１〜図４に示すように、キッチン１に面する壁２に窓３が設けられ、この窓３の手前が収納所４とされ、この収納所４を開閉する戸１２が前記窓３と平行に設けられた収納所構造において、
前記戸１２には、前記窓３からキッチン１側に採光可能な透光性を有する透光性部材１４が設けられるとともに、前記戸１２の厚さ方向に貫通して空気を流通可能とする空気流通部１５が設けられており、
前記戸１２は床１６から天井７までの高さを有しており、前記窓３はその上辺部３ａが壁２と天井７との交差部に位置し、下辺部３ｂが壁２の上下方向中央部より上方に位置していることを特徴とする。
【０００６】
ここで、空気流通部の一例としては、戸の厚さ方向に貫通するスリットがあげられるが、このスリット以外のものでもよい。例えば戸の厚さ方向に貫通する開口に設けられる、格子状や網状に形成された通風可能な板状部材や、パンチングメタル等でもよい。
【０００７】
請求項１に記載の発明によれば、収納所４を開閉する戸１２を閉じることによって、収納所１２を隠すことができ、この戸１２を閉じた状態でも戸１２に透光性部材１４が設けられているので、この透光性部材１４を通して窓３からキッチン１に十分な採光を得ることができ、さらに、戸１２に空気流通部１５が設けられているので、窓３を開けた状態（全開状態または半開状態）で戸１２を閉じることによってこの空気流通部１５を通してキッチン１と収納所４との双方に十分な通気を得ることができる。
また、窓３の上辺部３ａが壁２と天井７との交差部に位置し、下辺部３ｂが壁２の上下方向中央部より上方に位置しているので、窓３が収納所４に収納された物によって全て閉ざされ難くなり、戸１２は床１６から天井７までの高さを有しているので、この戸１２の透光性部材１４とスリット１５を通してキッチン３に採光、通気を確実に得ることができる。
【０００８】
請求項２に記載の発明は、キッチン１に面する壁２に窓３が設けられ、この窓３の手前が収納所４とされ、この収納所４を開閉する戸１２が前記窓３と平行に設けられた収納所構造において、
前記戸１２には、前記窓３からキッチン１側に採光可能な透光性を有する透光性部材１４が設けられるとともに、前記戸１２の厚さ方向に貫通して空気を流通可能とする空気流通部１５が設けられており、
前記収納所４は前記窓３が設けられた壁２と直交する仕切壁１０によって第１収納所４ａと第２収納所４ｂとに左右に分割されており、
前記第２収納所４ｂには、水回り系の設備（例えば洗面台１１）が設けられていることを特徴とする。
【０００９】
請求項２に記載の発明によれば、収納所４を開閉する戸１２を閉じることによって、収納所１２を隠すことができ、この戸１２を閉じた状態でも戸１２に透光性部材１４が設けられているので、この透光性部材１４を通して窓３からキッチン１に十分な採光を得ることができ、さらに、戸１２に空気流通部１５が設けられているので、窓３を開けた状態（全開状態または半開状態）で戸１２を閉じることによってこの空気流通部１５を通してキッチン１と収納所４との双方に十分な通気を得ることができる。
また、第１収納所４ａと第２収納所４ｂとは仕切壁１０によって分割されているので、第２収納所４ｂに設けられている水回り系の設備１１から水が直接第１収納所に侵入するのを仕切壁１０によって防止できる。
【００１０】
請求項３に記載の発明は、請求項２に記載の収納所構造において、
前記戸１２は、平行に設けられた複数のレールに沿って移動する複数の引戸１３によって構成されており、
これら引戸１３を前記第２収納所４ｂ側に引き寄せた際に、前記第２収納４ｂ所が閉ざされるととともに、前記第１収納所４ａが全開することを特徴とする。
【００１１】
請求項３に記載の発明によれば、引戸１３を第２収納所側４ｂに引き寄せた際に、第１収納所４ａが全開するので、第１収納所４ａに物を出し入れし易く、また、第２収納所４ｂが閉ざされるとので、該第２収納所４ｂを隠すことができる。
【００１２】
請求項４に記載の発明は、請求項３に記載の収納所構造において、
前記複数の引戸１３には、それぞれ前記空気流通部１５が設けられており、これら空気流通部１５は前記引戸１３を前記第２収納所４ｂ側に引き寄せて重ねた際に、重ね方向に連続していることを特徴とする。
【００１３】
請求項４に記載の発明によれば、引戸１３が第２収納所４を閉ざす位置で重なっても、これら引戸１３に設けられた空気流通部は重なっている方向で連続しているので、第２収納所４に設けられた水回り系の設備１１からの湿気を換気できる。
【００１４】
請求項５に記載の発明は、収納所構造であって、キッチンに面する壁に窓が設けられており、
前記キッチン内に前記壁から離間して調理台が設けられており、
前記窓の手前であって、かつ前記調理台と対向離間して収納所が設けられ、この収納所を開閉する戸が前記窓と平行に設けられており、
前記戸には、前記窓からキッチン側に採光可能な透光性を有する透光性部材が設けられるとともに、前記戸の厚さ方向に貫通して空気を流通可能とする空気流通部が設けられていることを特徴とする。
【００１５】
請求項５に記載の発明によれば、収納所４を開閉する戸１２を閉じることによって、収納所１２を隠すことができ、この戸１２を閉じた状態でも戸１２に透光性部材１４が設けられているので、この透光性部材１４を通して窓３からキッチン１に十分な採光を得ることができ、さらに、戸１２に空気流通部１５が設けられているので、窓３を開けた状態（全開状態または半開状態）で戸１２を閉じることによってこの空気流通部１５を通してキッチン１と収納所４との双方に十分な通気を得ることができる。
【００１６】
請求項６に記載の発明は、請求項１〜５のいずれか一項に記載の収納所構造において、
前記透光性部材１４は前記戸１２のほぼ全面に設けられており、前記空気流通部１５は前記戸１２の上下端部にそれぞれ設けられていることを特徴とする
【００１７】
請求項６に記載の発明によれば、透光性部材１４が戸１２のほぼ全面に設けられているので、採光性が向上する。また、空気流通部１５が戸１２の上下端部にそれぞれ設けられているので、通気性が向上する。すなわち、外の涼しい空気を収納所４を通して下端部の空気流通部１５からキッチン１に流入させ、キッチン１の暖かい空気を上端部の空気流通部１５から収納所４を通して外部に排気できるので、空気の対流を利用してキッチン１や収納所４を換気できる。
【発明の効果】
【００１８】
本発明によれば、キッチンに面する壁に窓が設けられ、この窓の手前が収納所とされ、この収納所を開閉する戸が前記窓と平行に設けられ、前記戸に、前記窓からキッチン側に採光可能な透光性を有する透光性部材が設けられるとともに、厚さ方向に貫通して空気を流通可能とする空気流通部が設けられているので、収納所を開閉する戸を閉じることによって、収納所を隠すことができ、この戸を閉じた状態でも戸に透光性部材が設けられているので、この透光性部材を通して窓からキッチンに十分な採光を得ることができ、さらに、戸に空気流通部が設けられているので、窓を開けた状態で戸を閉じることによってこの空気流通部を通してキッチンと収納所との双方に十分な通気を得ることができる。
【発明を実施するための最良の形態】
【００１９】
以下図面を参照して本発明の実施の形態について説明する。
図１〜図４は本発明に係る収納所構造の一例を示すものであり、図１はその平面図、図２は同斜視図、図３は同正面図、図４は同側面図である。
【００２０】
図１に示すように、キッチン１に面する壁２には、窓３，３が設けられており、この窓３，３の手前が収納所４とされている。なお、壁２は外壁である。キッチン１には、収納所４と対向して調理台５が設けられており、この調理台５の右側には食堂６が設けられている。そして、キッチン１は食堂６から見ることができるオープンキッチンとなっている。
【００２１】
前記収納所４は、図１に示すように、壁２と、この壁２に直交して設けられた袖壁８と、前記壁２と直交する壁９とによって囲まれた凹所に設けられており、さらに、この収納所４は、窓３，３が設けられた壁２と直交する仕切壁１０によって第１収納所４ａと第２収納所４ｂとに左右に分割されている。
第１収納所４ａの左右の幅は、第２収納所４ｂの左右の幅の約３倍程度になっており、第２収納所４ｂには、洗面台（水回り系の設備）１１が設けられている。この洗面台１１は、例えば前記壁９に勝手口１２が設けられているので、この勝手口１２から入ってきた住人が手を洗うのに使用される。なお、第２収納所４ｂには、洗面台１１に代えて例えば洗濯機を設けてもよい。要は水を必要とする水回り系の設備を第２収納所４ｂに設けるようにする。
【００２２】
また、前記収納所４を開閉する戸１２が設けられている。戸１２は４枚の引戸１３・・・で構成されている。４枚の引戸１３・・・は全て同じ大きさ、形状のものであり、以下のように構成されている。
すなわち、引戸１３は、図２および図３に示すように、縦框材１３ａと横框材１３ｂとを矩形枠状に組み立てるとともに、縦框材１３ａ，１３ａ間に５本の桟材１３ｃ・・・を上下に離間して平行に架設し、上下に隣り合う桟材１３ｃ，１３ｃと左右の縦框材１３ａ，１３ａで囲まれた矩形状の部分に、矩形板状の透光材部材１４をはめ込んだ構成となっている。このようにして、戸１２すなわち４枚の引戸１３のほぼ全面に透光性部材１４が設けられている。透光性部材１４は半透明なスリガラスや樹脂板で形成されたもので、透明ではないが透光性を有する板材である。
また、最上段の桟材１３ｃと上の横框材１３ｂとの間には、スリット（空気流通部）１５が設けられており、最下段の桟材１３ｃと下の横框材１３ｂとの間には、スリット１５（空気流通部）が設けられている。つまりスリット１５，１５が引戸１３の上下端部にそれぞれ設けられている。スリット１５は引戸１３の厚さ方向に貫通して空気を流通可能とする横方向に長い矩形状の貫通孔であり、引戸１３の幅方向に亙って設けられている。
【００２３】
また、前記４枚の引戸１３は、図２〜図４に示すように、床１６から天井７までの高さを有しており、天井に設けられた上レール部１７と床１６に設けられた下レール部１８とに左右に摺動可能に係合されている。
上レール部１７は天井７から下方に突出しており、４本のレールが平行に設けられている。そして、これらレールにそれぞれ４枚の引戸１３の上端部が摺動可能に係合されている。
下レール部１８は床１６から突出しないように、該床１６の表面とほぼ面一にして設けられており、４本のレールが平行に設けられている。そして、これらレールにそれぞれ４枚の引戸１３の下端部が摺動可能に係合されている。
したがって、４枚の引戸１３は４本のレールに沿って独立して左右に摺動可能となるとともに、適宜の位置で重ねて配置することもできる。
【００２４】
また、４枚の引戸１３を第２収納所４ｂ側に引き寄せた際には、４枚の引戸１３が第２収納所４ｂ前に４枚重なって配置され、第２収納所４ｂが閉ざされるととともに、前記第１収納所４ａが全開するようになっている。
つまり、引戸１３の左右の幅寸法は、第２収納所４ｂの左右の幅寸法とほぼ等しくなっており、４枚の引戸１３を第２収納所４ｂ側に引き寄せた際には、第２収納所４ｂが閉ざされるととともに、第１収納所４ａが全開するようになっている。
【００２５】
また、前記窓３は片開き式の窓であり、第１収納所４ａを形成する壁２に設けられ、図２および図３に示すように、その上辺部３ａが壁２と天井７との交差部に位置し、下辺部３ｂが壁２の上下方向中央部より上方に位置している。
この窓３の下辺部３ｂの直下に、棚２０，２１が上下に二段設けられている。棚２０は壁２の上下方向中央部より上方に位置しており、この棚２０上には小物を置けるようになっており、棚２１上にも小物が置けるようになっている。また、棚２１の下方には、棚２２，２３が上下に二段設けられている。さらに、棚２３の下方には、テーブル２４が設けられており、このテーブル２４の下側には引出し２５が設けられている。引出し２５の下面と床１６との間には空間があり、この空間に車付きの収納ケース２６が床１６に載置されて設けられている。
また、テーブル２４、棚２０〜２３、窓３，３の左方は、冷蔵庫置場とされ、ここに冷蔵庫２７が設置されている。
【００２６】
本実施の形態によれば、キッチン３に面する壁２に窓３が設けられ、この窓３の手前が収納所４とされ、この収納所４を開閉する戸１２が窓３と平行に設けられ、戸１２を構成する４枚の引戸１３のそれぞれに、窓３からキッチン側に採光可能な透光性を有する透光性部材１４が設けられるとともに、厚さ方向に貫通して空気を流通可能とするスリット１５が設けられているので、引戸１３を閉じることによって、収納所４を隠すことができ、引戸１３を閉じた状態でも引戸１３に透光性部材１４が設けられているので、この透光性部材１４を通して窓３からキッチン１に十分な採光を得ることができ、さらに、引戸１３にスリット１５が設けられているので、さらに、窓３を開けた状態（全開状態または半開状態）で引戸１３を閉じることによってこのスリット１５を通してキッチン１と収納所４との双方に十分な通気を得ることができる。
【００２７】
また、透光性部材１４が４枚の引戸１３のほぼ全面に設けられているので、採光性が向上する。また、スリット１５，１５が引戸１３の上下端部にそれぞれ設けられているので、通気性が向上する。すなわち、外の涼しい空気を収納所４を通して下端部のスリット１５からキッチン１に流入させ、キッチン１の暖かい空気を上端部のスリット１５から収納所４を通して外部に排気できるので、空気の対流を利用してキッチン１や収納所４を換気できる。
さらに、第１収納所４ａと第２収納所４ｂとが仕切壁１０によって分割されているので、第２収納所４ｂに設けられている洗面台１１から水が直接第１収納所４ａに侵入するのを仕切壁１０によって防止できる。
【００２８】
また、４枚の引戸１３を第２収納所４ｂ側に引き寄せた際に、第２収納所４ｂが閉ざされるととともに、第１収納所４ａが全開するので、第１収納所４ａに物を出し入れし易く、また、第２収納４ｂ所が閉ざされるとので、該第２収納所４ｂを隠すことができる。
また、引戸１３が第２収納所４を閉ざす位置で重なっても、これら引戸１３に設けられたスリット１５は重なっている方向で連続しているので、第２収納所４に設けられた水回り系の設備１１からの湿気を換気できる。
さらに、窓３の上辺部３ａが壁２と天井７との交差部に位置し、下辺部３ｂが壁２の上下方向中央部より上方に位置しているので、窓３が収納所４に収納された物によって全て閉ざされ難くなり、引戸１３は床１６から天井７までの高さを有しているので、この引戸１３の透光性部材１４とスリット１５を通してキッチンに採光、通気を確実を得ることができる。
【図面の簡単な説明】
【００２９】
【図１】本発明に係る収納所構造の一例を示すものであり、その平面図である。
【図２】同、斜視図である。
【図３】同、正面図である。
【図４】同、側面図である。
【符号の説明】
【００３０】
１  キッチン
２  壁
３  窓
４  収納所
４ａ  第１収納所
４ｂ  第２収納所
７  天井
１０  仕切壁
１１  洗面台（水回り系の設備）
１２  戸
１３  引戸
１４  透光性部材
１５  スリット（空気流通部）
１６  床
１７  上レール部
１８  下レール部
【図１】
0005185576.tif 000002
【図２】
0005185576.tif 000003
【図３】
0005185576.tif 000004
【図４】
0005185576.tif 000005